(57)【要約】【課題】床下換気を妨げずに床板を適正な高さ位置で基礎上大引に支承させることができ、しかも、床板の下面高さ位置と基礎の上面高さ位置との間の高さ寸法が小さくても、基礎上大引にしっかりとした強度をもたせながら、床板の端をビスのもみ込みで基礎上大引に固定できる基礎上大引の構造の提供。【解決手段】コンクリート布基礎１の上面にアンカーボルト２が立設され、該ボルトに受け材４が高さ位置調節可能に取り付けられ、該受け材に基礎上大引６が基礎の延びる方向に向けられて支承され、該大引と布基礎の上面との間に床下換気用通路７が形成され、大引６は、上壁の肉厚寸法がビスもみ込み可能な厚さ寸法を備え、下壁及び左右の壁がそれより大きい厚さ寸法を備え、前記大引に床板１２の端が支承されて該大引の上壁にビス１３で固定されている。【選択図】      図１
2009121023.tif 000002
【特許請求の範囲】
【請求項１】
コンクリート布基礎の上面に束材が立設され、該束材に基礎上大引の下面側を受ける受け材が高さ位置調節可能に取り付けられ、該受け材に基礎上大引が基礎の延びる方向に向けられて支承され、基礎上大引と布基礎の上面との間に床下換気用通路が形成されると共に、
前記基礎上大引は、上下左右を壁で囲まれた金属製の筒状材からなり、上壁の肉厚寸法がビスもみ込み可能な厚さ寸法を備えると共に、下壁及び左右の壁が上壁の厚さ寸法よりも大きい厚さ寸法を備え、該基礎上大引に床板の端が支承され、床板が基礎上大引の上壁にビスで取り付けられていることを特徴とする基礎上大引の構造。
【請求項２】
前記束材の外周部にネジ部が設けられると共に、該ネジ部にディスク状の回転操作板が螺合され、該回転操作板に前記受け材が支承されると共に、該回転操作板の周縁部は受け材及び基礎上大引よりも側方に突出し、該突出周縁部を操作して回転操作板を回転することにより、受け材及び基礎上大引の高さ位置を調節することができるようになされている請求項１に記載の基礎上大引の構造。
【請求項３】
前記基礎上大引が、ビスもみ込み可能な厚さ寸法の下向き開放の溝形をした金属板プレス成形品からなる上材と、上材よりも肉厚寸法の大きい上向き開放の溝形をした金属板プレス成形品からなる下材とを備え、上材の両側壁が下材の両側壁の内側に隣接するようにしっくりと嵌合されて一体化されたものからなっている請求項１又は２に記載の基礎上大引の構造。
【発明の詳細な説明】
【技術分野】
【０００１】
本発明は、基礎上大引の構造に関する。
【背景技術】
【０００２】
筒状の鋼製大引をコンクリート布基礎の上面に基礎の延びる方向に向けて設置し、該大引に床板の端を支承させた構造とすることにより、床板の端の撓みを防ぐようにすることは、従来より行われている。
【特許文献１】特開２００４−１９７４０６号公報
【発明の開示】
【発明が解決しようとする課題】
【０００３】
しかしながら、大引の設置によって床下換気通路が閉塞されてしまったり、基礎の上面に設置した大引の上面の高さ位置が床板の端の下面部に対して高すぎたり低すぎたりしてその調整が厄介であるという問題がある。
【０００４】
そのため、大引を基礎上に束支持状態にして高さ調整が行えるようにすることが考えられるが、床板の下面高さ位置と基礎の上面高さ位置との間の高さ寸法が小さいと、基礎上に大引を設置することができなくなり、そのため、大引の高さ寸法を小さくすると、大引の強度確保のためその肉厚寸法を大きくしなければならず、そうすると、床板の上面側から基礎上大引に対してビスをもみ込むことができなくなってしまうという問題を生じる。
【０００５】
本発明は、上記のような問題点に鑑み、基礎上大引が床下換気の妨げとならず、また、床板の端をちょうど良い高さ位置で基礎上大引に支承させることができ、しかも、床板の下面高さ位置と基礎の上面高さ位置との間の高さ寸法が小さくても、基礎上大引にしっかりとした強度をもたせることができ、それでいて、床板の端をビスのもみ込みで基礎上大引に固定することができる基礎上大引の構造を提供することを課題とする。
【課題を解決するための手段】
【０００６】
上記の課題は、コンクリート布基礎の上面に束材が立設され、該束材に基礎上大引の下面側を受ける受け材が高さ位置調節可能に取り付けられ、該受け材に基礎上大引が基礎の延びる方向に向けられて支承され、基礎上大引と布基礎の上面との間に床下換気用通路が形成されると共に、
前記基礎上大引は、上下左右を壁で囲まれた金属製の筒状材からなり、上壁の肉厚寸法がビスもみ込み可能な厚さ寸法を備えると共に、下壁及び左右の壁が上壁の厚さ寸法よりも大きい厚さ寸法を備え、該基礎上大引に床板の端が支承され、床板が基礎上大引の上壁にビスで取り付けられていることを特徴とする基礎上大引の構造によって解決される（第１発明）。
【０００７】
この構造では、基礎上大引が基礎の上面側において受け材を介して束支持されて、基礎上大引と布基礎の上面との間に床下換気用通路が形成されているので、基礎上大引が床下換気の妨げとなることはない。
【０００８】
また、受け材の高さ位置を調整することで、基礎上大引の上面の高さ位置を調整することができるようになされているので、床板をちょうど良い高さ位置で基礎上大引に支承させることができる。
【０００９】
しかも、基礎上大引は、上下左右を壁で囲まれた金属製の筒状材からなっているが、上壁の肉厚寸法はビスもみ込み可能な厚さ寸法に設定されているので、床板の端をビスのもみ込みで基礎上大引に取り付け、固定することができ、それでいて、下壁及び左右の壁は上壁の厚さ寸法よりも大きい厚さ寸法を備えているので、束支持状態の基礎上大引にしっかりとした強度をもたせることができる。
【００１０】
第１発明において、前記束材の外周部にネジ部が設けられると共に、該ネジ部にディスク状の回転操作板が螺合され、該回転操作板に前記受け材が支承されると共に、該回転操作板の周縁部は受け材及び基礎上大引よりも側方に突出し、該突出周縁部を操作して回転操作板を回転することにより、受け材及び基礎上大引の高さ位置を調節することができるようになされているとよい（第２発明）。
【００１１】
この場合は、ディスク状の回転操作板の突出周縁部を操作することで、受け材及び基礎上大引の高さ位置を施工容易に調節することができる。
【００１２】
第１，第２発明において、前記基礎上大引が、ビスもみ込み可能な厚さ寸法の下向き開放の溝形をした金属板プレス成形品からなる上材と、上材よりも肉厚寸法の大きい上向き開放の溝形をした金属板プレス成形品からなる下材とを備え、上材の両側壁が下材の両側壁の内側に隣接するようにしっくりと嵌合されて一体化されたものからなっているとよい（第３発明）。
【００１３】
この場合は、このような上材と下材との組み合わせによって、「上下左右を壁で囲まれた金属製の筒状材からなって上壁の肉厚寸法がビスもみ込み可能な厚さ寸法を備えると共に下壁及び左右の壁が上壁の厚さ寸法よりも大きい厚さ寸法を備えた基礎上大引」を、容易に製作することができ、しかも、強度的にしっかりとした基礎上大引を実現することができる。
【発明の効果】
【００１４】
本発明は、以上のとおりのものであるから、基礎上大引が床下換気の妨げとならず、また、床板の端をちょうど良い高さ位置で基礎上大引に支承させることができ、しかも、床板の下面高さ位置と基礎の上面高さ位置との間の高さ寸法が小さくても、基礎上大引にしっかりとした強度をもたせることができ、それでいて、床板の端をビスのもみ込みで基礎上大引に固定することができる。
【発明を実施するための最良の形態】
【００１５】
次に、本発明の実施最良形態を図面に基づいて説明する。
【００１６】
図１〜図５に示す実施形態の基礎上大引の構造において、１はコンクリート布基礎であり、該コンクリート布基礎１の上面部に、束材としてのアンカーボルト２が基礎コンクリート中に埋込み状態にされて立設され、該アンカーボルト２のネジ部２ａには、図３（イ）（ロ）に示すように、ディスク状の回転操作板３が螺合されている。
【００１７】
受け材４は、図１（イ）に示すように、上向き開放の溝形をして、図３（ロ）（ハ）に示すように、その長手方向の中央部位置でアンカーボルト２を貫通させて回転操作板３に支承され、回転操作板３を回転操作して昇降させることにより、受け材４の高さ位置を調整することができるようになされている。
【００１８】
回転操作板３は、図１（イ）（ロ）に示すように、外周面３ａが周方向に凹凸を繰り返す凹凸面に形成され、図２（ロ）に示すように、受け材４の側方に周縁部が突出するようになされていて、該突出周縁部の外周凹凸部にドライバーなどの工具を係合することで回転させることができるようになされている。
【００１９】
５は固定用のナットで、アンカーボルト２に螺合されて高さ位置調整後に、受け材４と回転操作板３をアンカーボルト２の所定の高さ位置に固定するものである。そして、図２に示すように、受け材４のアンカーボルト貫通部を挟む両側に、基礎１の延びる方向に向けられた基礎上大引６，６の端部が、ナット５の操作を妨げない程度の間隔をおいて受けられ、基礎上大引６と布基礎１の上面との間に床下換気用通路７が形成されている。
【００２０】
基礎上大引６は、図５（ヘ）に示すように、上下左右を壁で囲まれた金属製の筒状材からなり、本実施形態では、図５（ホ）に示すように、ビスのもみ込みが可能な肉厚寸法が例えば１．６ｍｍの下向き開放の溝形をした鋼板プレス成形品からなる上材８と、肉厚寸法が例えば３．２ｍｍと上材８よりも肉厚寸法の大きい上向き開放の溝形をした鋼板プレス成形品からなる下材９とを備え、上材８の両側壁８ａ，８ａが下材９の両側壁９ａ，９ａの内側に隣接するようにしっくりと嵌合され、図２（ロ）（ハ）に示すように、両側方からビス１０，１０で一体化されて、上壁６ａの肉厚寸法がビスもみ込み可能な厚さ寸法を備えると共に、下壁６ｂ及び左右の壁６ｃ，６ｃが上壁６ａの厚さ寸法よりも大きい厚さ寸法の筒状基礎上大引に構成されている。
【００２１】
この基礎上大引６の端部を受け材４の溝内に受けさせ、受け材４と接合するため、本実施形態では、図１（イ）に示すように、受け材４において、アンカーボルト２の貫通部を挟む両側に雄ネジ部４ａ，４ａが立設されると共に、基礎上大引６の端部の底面部には該雄ネジ部４ａを通す通孔６ｄが明けられ、図４（イ）（ロ）（ハ）に示すように、該通孔６ｄに通した雄ネジ部４ａにナット１１が螺合緊結されて、基礎上大引６の端部が受け材４に受けられた状態で受け材４に接合一体化されている。６ｅは螺合工具挿入孔で、ナット１１を雄ネジ部４ａに螺合緊結するに際して工具を挿入するものである。
【００２２】
そして、図５（イ）（ロ）に示すように、回転操作板３を回転変位させて基礎上大引６の上面の高さ位置を調整した後、図５（ハ）（ニ）に示すように、基礎上大引６の上面部に、厚さ寸法が例えば２８ｍｍの床板としての床下地合板１２の端が支承され、床下地合板１２の端が、その上面側から基礎上大引６の肉薄な上壁６ａに対してもみ込まれたビス１３によって取り付けられている。なお、床下地合板１２において、１４，１５は断熱材、１６は断熱材保持金物であり、これらは予め床下地合板１２の下面側に組み付けられている。
【００２３】
なお、図２（イ）において、１７はフローリング等の床仕上げ材、１８は石膏ボード、１９は外壁パネル、２０はピース状の土台である。
【００２４】
上記の基礎上大引の構造によれば、基礎上大引６が基礎１の上面側において受け材４を介してアンカーボルト２で束支持されて、基礎上大引６と布基礎１の上面との間に床下換気用通路７が形成されているので、基礎上大引６が床下換気の妨げとなることはない。
【００２５】
また、受け材４の高さ位置を調整することで、基礎上大引６の上面の高さ位置を調整することができるようになされているので、床下地合板１２の端をちょうど良い高さ位置で基礎上大引６に支承させることができる。
【００２６】
特に、本実施形態では、ディスク状の回転操作板３が備えられ、該回転操作板３の周縁部が受け材４及び基礎上大引６よりも側方に突出し、該突出周縁部を操作して回転操作板３を回転することにより、受け材４及び基礎上大引６の高さ位置を調節することができるようになされているので、受け材４及び基礎上大引６の高さ位置を施工容易に調節することができる。
【００２７】
しかも、基礎上大引６は、上壁６ａの肉厚寸法がビスもみ込み可能な厚さ寸法に設定されているので、床下地合板１２の端をビス１３のもみ込みで基礎上大引６に固定することができ、それでいて、下壁６ｂ及び左右の壁６ｃ，６ｃは上壁６ａの厚さ寸法よりも大きい厚さ寸法を備えているので、アンカーボルト２による束支持状態の基礎上大引６にしっかりとした強度をもたせることができる。
【００２８】
特に、本実施形態では、基礎上大引が、ビスもみ込み可能な厚さ寸法の下向き開放の溝形をした鋼板プレス成形品からなる上材８と、上材８よりも肉厚寸法の大きい上向き開放の溝形をした鋼板プレス成形品からなる下材９とを備え、上材８の両側壁８ａ，８ａが下材９の両側壁９ａ，９ａの内側に隣接するようにしっくりと嵌合されてビス１０で一体化された構造のものからなっているので、「上下左右を壁で囲まれた筒状材からなって上壁６ａの肉厚寸法がビスもみ込み可能な厚さ寸法を備えると共に下壁６ｂ及び左右の壁６ｃ，６ｃが上壁６ａの厚さ寸法よりも大きい厚さ寸法を備えた構造の基礎上大引６」を、容易に製作することができ、しかも、強度的にしっかりとした基礎上大引を実現することができる。
【図面の簡単な説明】
【００２９】
【図１】図（イ）は実施形態の基礎上大引の構造を示す分解斜視図、図（ロ）は回転操作板を下面側から見た斜視図である。
【図２】図（イ）は同基礎上大引の構造の断面側面図、図（ロ）は平面図、図（ハ）は正面図である。
【図３】図（イ）〜図（ハ）は、回転操作板と受け材の取付け方法を順次に示す一部断面正面図である。
【図４】図（イ）〜図（ハ）は、基礎上大引の取付け方法を順次に示す一部断面正面図である。
【図５】図（イ）及び図（ロ）は基礎上大引の高さ位置の調整方法を示す平面図及び断面側面図、図（ハ）及び図（ニ）は床下地合板の取付け方法を順次に示す断面側面図、図（ホ）及び図（ヘ）は基礎上大引の分解、組立ての各断面図である。
【符号の説明】
【００３０】
１…コンクリート布基礎
２…アンカーボルト（束材）
２ａ…ネジ部
３…回転操作板
４…受け材
６…基礎上大引
６ａ…上壁
６ｂ…下壁
６ｃ…側壁
７…床下換気用通路
８…上材
８ａ…側壁
９…下材
９ａ…側壁
１２…床下地合板（床板）
１３…ビス
【図１】
2009121023.tif 000003
【図２】
2009121023.tif 000004
【図３】
2009121023.tif 000005
【図４】
2009121023.tif 000006
【図５】
2009121023.tif 000007